(57)【特許請求の範囲】
【請求項１】
庫体及び風量分配送風装置を備える冷蔵庫であって、
前記庫体内に貯蔵室及び送風通路が画定されており、前記送風通路が前記貯蔵室内に冷気を送るように配置され、
前記風量分配送風装置は、前記送風通路内に設けられ、ケース及び調節具を備え、
前記ケースは、少なくとも１つの吸込口及び複数の吹出口を有し、
前記調節具は、各前記吹出口を完全に遮蔽、部分的に遮蔽、又は完全に開放させるよう制御可能であり、前記複数の吹出口のそれぞれの吹出面積を調整することにより、前記送風通路を介して前記貯蔵室に送る風量を調節するように配置され、
前記ケースは、ベース及び当該ベースから当該ベースの一面側に延伸する周壁を含み、前記周壁に前記複数の吹出口が形成されており、
前記調節具は、前記ベースの周方向に沿って間隔をあけて設けられた１つ又は複数の遮蔽部を備え、前記調節具は、前記周壁の周方向に回転可能に前記ケースに取り付けられることにより、異なる回転位置に回転したときに、前記１つ又は複数の遮蔽部によって各前記吹出口を完全に遮蔽、部分的に遮蔽、又は完全に開放させるよう構成されており、
前記ケースは、前記ベースから遠くに位置する前記周壁の一端に敷設される分配器カバーをさらに備え、
前記分配器カバーに、前記少なくとも１つの吸込口が設けられており、
前記風量分配送風装置は、冷気を前記少なくとも１つの吸込口から前記ケースに流入させ、前記複数の吹出口のうちの１つ又は複数を経て前記ケースから流出させるよう、前記ケース内に配置される遠心羽根車を備えた、
冷蔵庫。
【請求項２】
前記送風通路は、少なくとも１つの送風口を有し、各前記吹出口が少なくとも１つの送風口のいずれか１つに連通することにより、前記吹出口からの冷気が前記送風口を経て前記貯蔵室に入るよう構成されている、
請求項１に記載の冷蔵庫。
【請求項３】
前記複数の吹出口は、少なくとも２つのグループに分けられ、各グループには、少なくとも１つの前記吹出口があり、
各グループにおける各前記吹出口のサイズが同一であり、
各グループにおける各前記吹出口のサイズが他のグループにおける各前記吹出口のサイズと異なる、
請求項１に記載の冷蔵庫。
【請求項４】
前記周壁に少なくとも１つの吸込口がさらに形成されており、当該少なくとも１つの吸込口は、隣接する２つの前記吹出口の間に設けられる、
請求項１に記載の冷蔵庫。
【請求項５】
前記調節具は、さらに、ある回転位置に回転することにより、前記１つ又は複数の遮蔽部が少なくとも１つの吸込口を完全に遮蔽して前記送風通路を閉鎖するように配置可能である、
請求項４に記載の冷蔵庫。
【請求項６】
前記吸込口は、１つであり、
前記吹出口は、３つであり、前記ベースの周方向に沿って間隔を置いて設けられ、
前記遮蔽部は、２つであり、それぞれ第１遮蔽部及び第２遮蔽部であり、
前記第１遮蔽部は、１つの前記吹出口を完全に遮蔽することができるように配置でき、
前記第２遮蔽部は、２つの前記吹出口を完全に遮蔽し、あるいは、前記吸込口を完全に遮蔽することができるように配置でき、
前記第１遮蔽部と前記第２遮蔽部との間の間隔は、１つの前記吹出口を完全に開放させることができる、
請求項５に記載の冷蔵庫。
【請求項７】
前記調節具は、前記周壁と同軸に設けられる回転盤部をさらに備え、各前記遮蔽部は、前記回転盤部の一面から延伸して形成されている、
請求項１に記載の冷蔵庫。
【請求項８】
前記風量分配送風装置は、モーター、歯車、リングギヤをさらに備え、
前記モーターは、前記回転盤部の径方向の外側に設けられ、
前記歯車は、前記モーターの出力軸に取り付けられ、
前記リングギヤは、前記回転盤部の他面から延伸し、かつ前記回転盤部とは同軸になる環状リブ、及び前記環状リブの外周面から外へ延伸し、かつ前記環状リブの周方向に沿って間隔を置いて配置される複数のギヤ歯を含み、
前記歯車が前記リングギヤに噛み合うことにより、前記モーターの出力する回転運動を前記調節具に減速して伝達する、
請求項７に記載の冷蔵庫。
【発明の詳細な説明】
【技術分野】
【０００１】
本発明は、冷凍・冷蔵装置に関し、特に冷蔵庫に関する。
【背景技術】
【０００２】
近年、人々の生活水準の向上及び環境意識の高まりに伴い、冷蔵庫に対する要求は、徐々に低温冷凍から食品の鮮度保持に変わっている。従来の冷蔵庫では、冷蔵室に送風する方式は、通常、冷気通路に冷蔵室への吸込口を設け、さらに、吸込口にスロットルを設けることにより、冷蔵室内に入る風量を調節することができる。現在の一般的なスロットルは、シングルスロットル又はデュアルスロットルであり、構造が比較的複雑で、コストが高く、制御状態が比較的単一であるという問題がある。
【発明の概要】
【発明が解決しようとする課題】
【０００３】
本発明の目的は、従来の空冷冷蔵庫の少なくとも１つの欠陥を克服するために、送風通路内の風量を調節することにより、送風通路の種々の状態を実現できる新規な冷蔵庫を提供することである。
【０００４】
本発明のさらなる目的は、送風通路内の風量を簡単に調節でき、且つ調節精度が高い冷蔵庫を提供することである。
【０００５】
本発明のさらなる目的は、モーター出力軸の揺動による調節具の回転に対する影響を少なくして調節具の回転運動を安定させ、回転位置を正確にすることである。
【課題を解決するための手段】
【０００６】
上記少なくとも１つの目的を達成するために、本発明は、冷蔵庫を提供する。
該冷蔵庫は、庫体及び風量分配送風装置を備え、
該庫体内に貯蔵室及び送風通路が画定されており、送風通路は、貯蔵室内に冷気を送るように配置され、
該風量分配送風装置は、送風通路内に設けられ、ケース及び調節具を備え、
該ケースは、少なくとも１つの吸込口及び複数の吹出口を有し、
該調節具は、制御可能に各吹出口を完全に遮蔽、部分的に遮蔽、又は完全に開放させて複数の吹出口のそれぞれの吹出面積を調整することにより、送風通路を介して貯蔵室に送る風量を調節するように配置される。
【０００７】
必要に応じて、送風通路は、少なくとも１つの送風口を有し、各吹出口が少なくとも１つの送風口のいずれか１つに連通することにより、該吹出口から流出する冷気が送風口を経て貯蔵室に入る。
【０００８】
必要に応じて、ケースは、ベース及びベースからベースの一面側へ延伸する周壁を含み、周壁に複数の吹出口が形成されており、
調節具は、ベースの周方向に沿って間隔を置いて設けられた１つ又は複数の遮蔽部を備え、調節具は、周壁の周方向に回転可能にケースに取り付けられることにより、異なる回転位置に回転するとき、１つ又は複数の遮蔽部に各吹出口を完全に遮蔽、部分的に遮蔽、又は完全に開放させる。
【０００９】
必要に応じて、ケースは、ベースから遠くに位置する周壁の一端に覆設される分配器カバーをさらに備える。
【００１０】
必要に応じて、複数の吹出口は、少なくとも２つのグループに分けられ、各グループには、少なくとも１つの吹出口があり、且つ各グループにおける各吹出口のサイズは同一である一方、各グループにおける各吹出口のサイズは他のグループにおける各吹出口のサイズと異なる。
【００１１】
必要に応じて、周壁に少なくとも１つの吸込口がさらに形成されており、少なくとも１つの吸込口は、隣接する２つの吹出口の間に設けられる。
【００１２】
必要に応じて、調節具は、さらに、ある回転位置に回転することにより、１つ又は複数の遮蔽部によって少なくとも１つの吸込口を完全に遮蔽して送風通路を閉鎖するように配置可能である。
【００１３】
必要に応じて、吸込口は１つであり、
吹出口は、３つであり、ベースの周方向に沿って間隔を置いて順次設けられ、
遮蔽部は、２つであり、それぞれ第１遮蔽部及び第２遮蔽部であり、
第１遮蔽部は、１つの吹出口を完全に遮蔽することができるように配置でき、
第２遮蔽部は、２つの吹出口を完全に遮蔽し、あるいは、吸込口を完全に遮蔽することができるように配置でき、
第１遮蔽部と第２遮蔽部との間の間隔は、１つの吹出口を完全に開放させることができるように配置される。
【００１４】
必要に応じて、調節具は、周壁と同軸に設けられる回転盤部をさらに備え、各遮蔽部は、回転盤部の一面から延伸する。
【００１５】
必要に応じて、風量分配送風装置は、モーター、歯車、リングギヤをさらに備え、
該モーターは、回転盤部の径方向の外側に設けられ、
該歯車は、モーターの出力軸に取り付けられ、
該リングギヤは、回転盤部の他面から延伸し、かつ回転盤部とは同軸になる環状リブ、及び環状リブの外周面から外へ延伸し、かつ環状リブの周方向に沿って間隔を置いて配置される複数のギヤ歯を含み、
歯車がリングギヤに噛み合うことにより、モーターの出力する回転運動を調節具に減速して伝達する。
【００１６】
本発明の冷蔵庫は、送風通路内に風量分配送風装置を有することにより、風量分配送風装置の調節具により風量分配送風装置のケースにおける各吹出口を完全に遮蔽、部分的に遮蔽、又は完全に開放させて、送風通路内の風量を調節できるため、調節、制御が簡単であり、送風通路内の風量の種々の状態を実現できる。
【００１７】
さらに、本発明の冷蔵庫では、吹出口の開放数により送風通路内の風量を調節できるため、回転運動の精度が相対的に十分ではない場合でも、風量に対する正確な制御を実現できる。また、複数の吹出口のサイズが互いに異なるよう構成できるため、異なる吹出口を開放させることで、異なる出風量を実現できる。
【００１８】
さらに、本発明の冷蔵庫では、調節具もケース上の吸込口を完全に遮蔽して送風通路の開閉を制御できるため、風量分配送風装置が簡単な構造を有する場合でも送風通路に種々の状態に設定することができる。
【００１９】
さらに、本発明の冷蔵庫では、風量分配送風装置の歯車及びリングギヤがモーターの出力する回転運動を調節具に減速して伝達できるため、モーター出力軸の揺動による調節具の回転に対する影響を少なくでき、調節具の回転位置を正確にすることができ、調節具を所定の位置に正確に回転させ、各吹出口を正確に遮蔽又は開放させることができる。また、互いに噛み合った歯車とリングギヤは、減速・トルク増加機能も有し、モーターが回転するときの不円滑現象を解消できる。
【００２０】
さらに、本発明の冷蔵庫では、風量分配送風装置のモーターが回転盤部の径方向の外側に設けられるため、風量分配送風装置の厚さを全体として薄くでき、冷蔵庫の後部に取り付けられる場合、冷蔵庫の厚さを薄くして冷蔵庫の体積を減少させ、又は冷蔵庫の有効な貯蔵空間を増大させることができる。
【００２１】
以下、本発明の上記及び他の目的、利点及び特徴を明らかにするために、図面を参照しながら本発明の具体的な実施例を詳細に説明する。
【図面の簡単な説明】
【００２２】
以下、図面を参照して本発明のいくつかの具体的な実施例を例示的で非制限的な方式で詳細に説明する。図面における同じ符号は、同一又は類似する部品又は部分を表す。当業者であれば、これらの図面が必ずしも縮尺に合ったものではないことを理解すべきである。
【図１】図１は、本発明の一実施例に係る冷蔵庫の構造模式図である。
【図２】図２は、本発明の一実施例に係る冷蔵庫の部分構造模式図である。
【図３】図３は、本発明の一実施例に係る冷蔵庫の風量分配送風装置の分解模式図である。
【図４−１１】図４−１１は、それぞれ本発明の実施例に係る冷蔵庫の風量分配送風装置における調節具が異なる回転位置にあるときの部分構造模式図である。
【発明を実施するための形態】
【００２３】
図１は、本発明の一実施例の冷蔵庫の構造模式図である。図１に示すように、本発明の実施例は、庫体２００を含み、該庫体２００内に貯蔵室２１１及び送風通路２２１が画定されている冷蔵庫を提供する。
【００２４】
送風通路２２１は、貯蔵室２１１内に冷気を送ることにより、貯蔵室２１１内の温度を目的温度前後に維持するように配置することができる。貯蔵室２１１内の冷たさの調節を容易にするために、本発明の実施例の冷蔵庫は、風量分配送風装置３００をさらに含んでもよい。風量分配送風装置３００は、送風通路２２１内の風量を調節することにより送風通路２２１を介して貯蔵室２１１に送る風量を調節できるように、送風通路２２１内に設けることができる。
【００２５】
図２に示すように、庫体２００は、インナーハウジング２１０及び通路蓋板２２０を備えることができる。インナーハウジング２１０内に貯蔵室２１１が画定されている。通路蓋板２２０は、インナーハウジング２１０の後壁に取り付けられ、且つ通路蓋板２２０に貯蔵室２１１へ送風する送風通路２２１が設けられている。風量分配送風装置３００は、通路内に取り付けられる。
【００２６】
具体的には、風量分配送風装置３００は、ケース４０及び調節具５０を備えることができる。ケース４０は、冷気が少なくとも１つの吸込口４２１を経てケース４０内に入り、複数の吹出口のうちの１つ又は複数を経て該ケース４０から流出するように、少なくとも１つの吸込口４２１及び複数の吹出口を有することができる。
【００２７】
調節具５０は、各吹出口を完全に遮蔽、部分的に遮蔽、又は完全に開放させるよう制御可能であり、複数の吹出口のそれぞれの吹出面積を調整して送風通路２２１を介して貯蔵室２１１に送る風量を調節するように配置することができる。例えば、調節具５０は、異なる位置に可動することにより各吹出口を完全に遮蔽、部分的に遮蔽、又は完全に開放させることができる。図１に示すように、ケース４０に３つの吹出口があり、調節具５０は、２つの吹出口を完全開放状態、もう１つの吹出口を完全遮蔽状態にすることにより、冷気を完全開放状態にある２つの吹出口から貯蔵室２１１に流入させることができる。図１における矢印は、風量分配送風装置３００の２つの吹出口が完全開放状態にあるときの送風通路２２１内の冷気の流向を表す。
【００２８】
本発明の実施例において、送風通路２２１には少なくとも１つの送風口があり、各吹出口が少なくとも１つの送風口のいずれか１つに連通することにより、該吹出口から流出する冷気が各送風口を経て貯蔵室２１１に入る。
【００２９】
図３は、本発明の一実施例の冷蔵庫の風量分配送風装置３００の分解模式図である。図３に示すように、風量分配送風装置３００のケース４０は、ベース４１及び周壁４２を備えることができる。周壁４２は、ベース４１からベース４１の一面側に延伸している。また、周壁４２には上記複数の吹出口が形成されている。例えば、ベース４１の周縁は、円弧状であることが好ましい第１縁区切り部及び第２縁区切り部から構成される。周壁４２は、第１縁区切り部からベース４１の一面側に延伸する第１周壁４２区切り部を有することができる。第１周壁４２区切り部に上記複数の吹出口を形成することができる。いくつかの実施例において、第１周壁４２区切り部は、完全な円弧状の周壁４２区切り部であり、複数の吹出口が開設されており、各吹出口のいずれも縁を有する。別の実施例において、第１周壁４２区切り部は、少なくとも３つの円弧状周壁４２区切り部、及び２つの円弧状周壁４２区切り部の間にある間隔を含むことができる。隣接する円弧状周壁４２区切り部同士の間隔は１つの吹出口である。加工時に、各円弧状周壁４２区切り部のみをベース４１の第１縁区切り部の複数の位置からベース４１の一面側へ延伸させることができる。
【００３０】
本発明のさらなる実施例において、ケース４０は、分配器カバー４３をさらに備える。分配器カバー４３は、ベース４１から遠くに位置する周壁４２の一端に敷設され、ベース４１及び周壁４２と共に通路空間、即ち、ケース４０の内部空間を画定する。分配器カバー４３の取付けを容易にするために、ケース４０は、分配器カバー４３のエッジにおける複数の位置からそれぞれベース４１へ延伸する複数の係合アーム４４をさらに含んでもよい。各係合アーム４４の内面に係合溝又は突起が形成されている。周壁４２の外面には、分配器カバー４３がベース４１に係合できるように、それぞれ各係合溝に対応する複数の突起、又はそれぞれ各突起に対応する係合溝が形成されている。
【００３１】
本発明のいくつかの実施例において、周壁４２には、少なくとも１つの吸込口４２１がさらに形成されている。少なくとも１つの吸込口４２１は、隣接する２つの吹出口の間に設けられる。具体的には、いくつかの実施例において、少なくとも１つの吸込口４２１が１つあり（言い換えれば、吸込口４２１の数が１つであり）、第１周壁４２区切り部のベース４１の周方向に沿った両端部によって吸込口４２１を画定する。別の実施例において、周壁４２は、ベース４１の第２縁区切り部からベース４１の一面側に延伸する第２周壁４２区切り部をさらに含んでもよい。第２縁区切り部は、第１縁区切り部と円心が同一である円弧状に設計されることにより、第１周壁４２区切り部と第２周壁４２区切り部とが同一の円筒状の周壁４２にあり、つまり、第１周壁４２区切り部と第２周壁４２区切り部とが同軸であることが好ましい。第２周壁４２区切り部に少なくとも１つの吸込口４２１が形成されている。
【００３２】
本発明のいくつかの代替的な実施例において、周壁４２には、ベース４１の第２縁区切り部からベース４１の一面側へ延伸する第２周壁４２区切り部をさらに含んでもよい。少なくとも１つの吸込口４２１は、分配器カバー４３に設けられてもよい。この実施例において、風量分配送風装置３００は、送風装置をさらに備えてもよく、冷気を少なくとも１つの吸込口４２１からケース４０に流入させ、複数の吹出口のうちの１つ又は複数を経てケース４０から流出させるように配置される。それによって、送風効率を顕著に向上させる。例えば、この送風装置は、遠心羽根車である場合、ケース４０内に設けられる。
【００３３】
本発明のいくつかの実施例において、調節具５０は、ベース４１の周方向に沿って間隔を置いて設けられた１つの又は複数の遮蔽部５１を備えることができる。調節具５０は、周壁４２の軸線の周りに回転可能にケース４０に取り付けられることにより、異なる位置まで回転する時に、１つ又は複数の遮蔽部５１が各吹出口を完全に遮蔽、部分的に遮蔽、又は完全に開放させることができる。具体的には、各遮蔽部５１の周壁４２に向かう表面は、少なくとも一部に第１周壁４２区切り部と同軸に設けられる。例えば、各遮蔽部５１は、各吹出口を遮蔽又は開放させる弧形の遮蔽板であることができる。調節具５０の遮蔽部５１は、ケース４０の内部又はケース４０の外部に取り付けられてもよい。
【００３４】
調節具５０の遮蔽部５１がケース４０の内部に取り付けられる場合、調節具５０が周壁４２の軸周りに回転するとき、いくつかの実施例において、弧形の遮蔽板の外側表面は、常に第１周壁４２区切り部の内側表面に密接に貼付けられることとなり、それによって、弧形の遮蔽板が異なる回転位置で１つ又は複数の吹出口を開閉するよう制御可能となる。別の実施例において、調節具５０の回転の調節を容易にするために、各遮蔽部５１と周壁４２との間の距離を僅かに増大させることができるが、遮蔽部５１と周壁４２との間の距離が増大すると、冷気漏れが発生する恐れがあるため、完全且つ有効な密封効果を奏することができず、冷気が周壁４２と遮蔽部５１との間の隙間を通してある吹出口から別の吹出口に流れる場合がある。従って、本発明の実施例の風量分配送風装置３００は、密封装置をさらに含むことができる。該風量分配送風装置３００は、冷気が各遮蔽部５１の外面と周壁４２の内面との間の隙間を通して各吹出口に流れることを少なくとも部分的に阻止するように配置される。具体的には、密封装置は、調節具５０の回転軸線に平行な方向に沿って延伸する少なくとも２つのガスケットを含むことができる。各遮蔽部５１の弧形外面のその回転方向に沿う両端のいずれにも１つのガスケットを有する。
【００３５】
本発明のいくつかの実施例において、図３に示すように、調節具５０は、周壁４２と同軸に設けられる回転盤部５２をさらに備えることができる。各遮蔽部５１は、回転盤部５２の一面から突出している。回転盤部５２は、円盤状又はリング状であってもよい。全周型構造にすることで、調節具５０の回転運動をより安定にすることができる。別の実施例において、回転盤部５２は、扇形等の他の形状であってもよい。
【００３６】
本発明のいくつかの実施例において、風量分配送風装置３００は、モーター６０及び伝達機構を備えることができる。モーター６０は、回転盤部５２の径方向の外側に設けることができる。伝達機構は、モーター６０が出力した回転運動を調節具５０に減速して伝達するように配置される。本発明者は、設計の過程において、モーター６０の揺動により調節具５０の回転が十分に安定しないことを発見したため、伝達機構を用いてモーター６０の出力軸の揺動による影響を少なくすることにより、調節具５０の回転位置をより正確にすることを提案した。伝達機構の減速・トルク増加機能は、モーター６０の不円滑現象を解消することもできる。モーター６０を特殊な位置に設けることにより、風量分配送風装置３００の厚さを全体として薄くし、スペースを節約できるため、特に冷蔵庫に適する。
【００３７】
本発明のいくつかの実施例において、伝達機構は、歯車７１伝達機構であることが好ましい。具体的には、該伝達機構は、歯車７１及び歯車７１に噛み合うリングギヤ７２を含むことができる。歯車７１は、モーター６０の出力軸に取り付けられてもよい。リングギヤ７２は、回転盤部５２と一体に成形してもよく、又は独立して存在し且つ回転盤部５２に固定されてもよい。例えば、リングギヤ７２は、回転盤部５２の他面から延伸し、かつ回転盤部５２とは同軸になる環状リブ、及び環状リブの外周面から外へ延伸し、かつ環状リブの周方向に沿って間隔を置いて配置される複数のギヤ歯を含む。又は、リングギヤ７２は、独立して回転盤部５２と同軸となるように回転盤部５２の他面に固定される。
【００３８】
さらに、いくつかの実施例において、図３に示すように、回転盤部５２は、リング状であり、周壁４２のベース４１から遠い端に取り付けられることができる。周壁４２に少なくとも１つの吸込口４２１も形成されている場合、回転盤部５２は、板状であってもよく、周壁４２の端部開口を閉鎖する作用を奏することができる。
【００３９】
分配器カバー４３の内面に環状凹溝４３１を形成することができ、リングギヤ７２が環状凹溝４３１内に取り付けられ、それによって、調節具５０の回転運動を安定にすることができる。好ましくは、回転盤部５２はリング状であり、且つ環状凹溝４３１は段階溝であり、回転盤部５２を収容するために用いられ、調節具５０の回転運動の安定性をさらに保証できる。モーター６０を保護するために、ケース４０は、モーター６０収容部をさらに含む。該モーター６０収容部は、周壁４２の外面に設けられ、その内部には、歯車７１及びモーター６０を収容する収容室が画定されている。別の実施例において、回転盤部５２は、ベース４１の内面に設けられてもよい。
【００４０】
本発明のいくつかの実施例において、周壁４２に少なくとも１つの吸込口４２１が形成されている場合、調節具５０は、ある回転位置に回転するときに１つ又は複数の遮蔽部５１に少なくとも１つの吸込口４２１を完全に遮蔽させることにより、送風通路２２１を遮断するように配置される。
【００４１】
本発明のいくつかの実施例において、風量分配送風装置の複数の吹出口は、少なくとも２つのグループに分けられ、各グループには少なくとも１つの吹出口がある。各グループにおける各吹出口のサイズは同一である。各グループにおける各吹出口のサイズは他のグループにおける各吹出口のサイズと異なる。例えば、複数の吹出口は３つであり、それぞれ第１吹出口４２２、第２吹出口４２３、及び第３吹出口４２４である。第１吹出口４２２と第３吹出口４２４とは、サイズが同一であり、１つのグループとされる。一方で、第２吹出口４２３のサイズが第１吹出口４２２のサイズの１．２〜２倍であり、単独で１つのグループとされる。
【００４２】
本発明のいくつかの実施例において、送風通路２２１の両側の通路壁には、いずれも送風口が開設されており、送風通路２２１の中央で区切った一方側にある吹出口は、当該一方側の吹出口から流出した冷気を優先して送風通路２２１の中央で区切った一方側の送風口に送る。送風通路２２１の中央で区切った一方側にある吹出口がそこから流出した冷気を優先して通路壁に送るため、冷気が通路壁に沿って流れ、且つ優先して一方側の通路壁における送風口から流出させる。中央部にある吹出口は、冷気を比較的遠い位置に送ることにより、冷気を送風通路２２１の端部位置にある送風口から貯蔵室２１１に流入させることができる。
【００４３】
例えば、複数の吹出口は３つであり、それぞれ第１吹出口４２２、第２吹出口４２３、及び第３吹出口４２４である。第１吹出口４２２及び第３吹出口４２４は、第２吹出口４２３の両側に設けられる。送風通路２２１の第１吹出口４２２に近い通路壁には、冷気を貯蔵室２１１の中央部又は下部に送るために、第１送風口２２２が開設されている。送風通路２２１の端部には、冷気を貯蔵空間の上部に送るために第２送風口２２３が開設されている。送風通路２２１の第３吹出口４２４に近い通路壁には、冷気を貯蔵室２１１の中央部に送るために、第３送風口２２４が開設されている。
【００４４】
第１吹出口４２２が開放状態態である場合、第１送風口２２２に入る冷気の量は第１吹出口４２２から流出する冷気の６５％〜７５％であってもよい。第２吹出口４２３が開放状態である場合、第１送風口２２２に入る冷気の量は第２吹出口４２３から流出する冷気の５５％〜６５％であってもよい。第３吹出口４２４が開放状態である場合、第１送風口２２２に入る冷気の量は、第２吹出口４２３から流出する冷気の５０％〜６０％であってもよい。このように設計することにより、冷蔵庫は、貯蔵室２１１の異なる高さにおいて、必要とする冷たさに応じて、風量分配送風装置３００に、対応する吹出口を開放させることができる。或いは、貯蔵室２１１は、棚板／棚フレーム２３０により複数の貯蔵空間、例えば、４つの貯蔵空間に区切られてもよい。第２吹出口４２３は、最上部の貯蔵空間に冷気を送ることができ、第１吹出口４２２は、最下部の貯蔵空間の上方の貯蔵空間に冷気を送ることができ、第２吹出口４２３は、最上部の貯蔵空間の下方の貯蔵空間に冷気を送ることができる。
【００４５】
本発明のいくつかの実施例において、図１に示すように、吸込口４２１は、１つであり、周壁４２に設けられる。吹出口は、３つであり、ベース４１の周方向に沿って周壁４２に間隔を置いて順次設けられる。この３つの吹出口は、それぞれ第１吹出口４２２、第２吹出口４２３、及び第３吹出口４２４であり、ベース４１の周方向であって反時計回り方向（分配器カバー４３の時計回り方向）に沿って間隔を置いて順次設けることができる。遮蔽部５１は、２つであり、それぞれ第１遮蔽部５１１及び第２遮蔽部５１２であり、回転盤部５２の周方向であって反時計回り方向（分配器カバー４３の時計回り方向）に沿って間隔を置いて順次設けることができる。第１遮蔽部５１１は、１つの吹出口を完全に遮蔽することができるように配置することができる。第２遮蔽部５１２は、２つの吹出口を完全に遮蔽し、且つケース４０の吸込口４２１を完全に遮蔽することができるように配置することができる。第１遮蔽部５１１と第２遮蔽部５１２との間の間隔は、１つの吹出口を完全に開放させることができるように配置することができる。
【００４６】
図４〜１１は、それぞれ本発明の実施例に係る冷蔵庫の風量分配送風装置３００における調節具５０が異なる回転位置にあるときの部分構造模式図である。第１遮蔽部５１１及び第２遮蔽部５１２が図４に示す位置に回転したときには、第１吹出口４２２、第２吹出口４２３、及び第３吹出口４２４は、いずれも開放状態となる。第１遮蔽部５１１及び第２遮蔽部５１２が図５に示す位置に回転したときには、第２遮蔽部５１２は、第２吹出口４２３及び第３吹出口４２４を完全に遮蔽することができ、２つの遮蔽部５１の間の間隔により、第１吹出口４２２を完全開放状態にすることができる。第１遮蔽部５１１及び第２遮蔽部５１２が図６に示す位置に回転したときには、第１遮蔽部５１１は、第１吹出口４２２を完全に遮蔽することができ、第２遮蔽部５１２は、第３吹出口４２４を完全に遮蔽することができ、２つの遮蔽部５１の間の間隔により、第２吹出口４２３を完全開放状態にすることができる。第１遮蔽部５１１及び第２遮蔽部５１２が図７に示す位置に回転したときには、第２遮蔽部５１２は、第１吹出口４２２及び第２吹出口４２３を完全に遮蔽し、第３吹出口４２４を完全開放状態にすることができる。
【００４７】
第１遮蔽部５１１及び第２遮蔽部５１２が図８に示す位置に回転したときには、第１遮蔽部５１１は、第３吹出口４２４を完全に遮蔽することができ、第１吹出口４２２及び第２吹出口４２３は、完全開放状態となる。第１遮蔽部５１１及び第２遮蔽部５１２が図９に示す位置に回転したときには、第１遮蔽部５１１は、第２吹出口４２３を完全に遮蔽することができ、第１吹出口４２２は、完全開放状態にあり、２つの遮蔽部５１の間の間隔により、第３吹出口４２４を完全開放状態にすることができる。第１遮蔽部５１１及び第２遮蔽部５１２が図１０に示す位置に回転したときには、第２遮蔽部５１２は、第１吹出口４２２のみを完全に遮蔽することができ、第２吹出口４２３及び第３吹出口４２４は、完全開放状態にある。第１遮蔽部５１１及び第２遮蔽部５１２が図１１に示す位置に回転したときには、第２遮蔽部５１２は、吸込口４２１を完全に遮蔽し、送風通路２２１を閉鎖状態にすることができる。
【００４８】
無論、第１遮蔽部５１１及び第２遮蔽部５１２は、第３吹出口４２４の半分を遮蔽し、且つ第１吹出口４２２及び第２吹出口４２３を完全開放状態にすることができる回転位置、例えば、第１遮蔽部５１１が第３吹出口４２４の第２吹出口４２３から遠い半分部分のみを遮蔽する位置に回転することもできる。第１遮蔽部５１１及び第２遮蔽部５１２は、第３吹出口４２４を完全に遮蔽し、且つ第２吹出口４２３の半分を遮蔽し、第１吹出口４２２を完全開放状態にすることができる回転位置、例えば、第２遮蔽部５１２が第３吹出口４２４を完全に遮蔽し、及び第２吹出口４２３の第１吹出口４２２から遠い半分部分を遮蔽する位置に回転することもできる。
【００４９】
本明細書には本発明の複数の例示的な実施例を例示して詳細に説明したが、当業者にとっては、本発明の趣旨及び範囲を逸脱することなく、本発明の開示した内容に基づいて本発明の原理に合致する様々な他の変形又は修正を直接確定又は導出できるということは明らかである。従って、本発明の範囲にそれらの変形又は修正のすべてが含まれることは、理解及び認定されるべきである。
【図１】
0006550535.tif 000002
【図２】
0006550535.tif 000003
【図３】
0006550535.tif 000004
【図４】
0006550535.tif 000005
【図５】
0006550535.tif 000006
【図６】
0006550535.tif 000007
【図７】
0006550535.tif 000008
【図８】
0006550535.tif 000009
【図９】
0006550535.tif 000010
【図１０】
0006550535.tif 000011
【図１１】
0006550535.tif 000012